(57)【特許請求の範囲】
【請求項１】
教育目的又は玩具として使用するための規格構造システムであって、相互の接続を、接続部の手段により解除可能な少なくとも２つの側面部からなり、
前記接続部は、少なくとも２つの異なった側面部上に１つ又はそれ以上の放射状に突出するリップと、前記リップの接続方向から見て後ろに受容部とを具備し、少なくとも２つの異なる側面部のそれぞれに２つ若しくはそれ以上のリップを供えるものであり、又は少なくとも２つの異なった側面部のそれぞれに４つのリップを具備し、横方向から見て鏡像対称であり、
それぞれの側面部には少なくとも１つの壁部に、少なくとも放射状に延びる２つの異なった方向からみて異なる寸法の連続的な正方形の形状をした開放部を具備し、
前記寸法のより大きな部分は前記リップを通る前記放射部の最大値より大きいか又は等しく、前記の寸法のより小さな部分は放射部より小さいものであり、前記開放部の前記壁部は前記接続部上の前記受容部の幅より小さいか又は等しい厚みを有するものであり、
前記リップを前記開放部中に収容し前記接続部が互いに関して連続的に回転することによって接続が引き起こされるものであることを特徴とする規格構造システム。
【請求項２】
前記接続部が立方体の形状である中央部に固定された１つかそれ以上のリップの少なくとも２組からなり、それぞれのリップで組み合わされた前記受容部は前記リップと中央部によって固定されたものである、前記請求項１に記載の規格構造システム。
【請求項３】
中央部の横断面形状が充分に側面部の横断面形状と同じである、前記請求項２に記載の規格構造システム。
【請求項４】
それぞれの側面部が前記壁部中に、前記中央部の少なくとも一部を収容するための受容部を開放部に具備する、前記請求項２に記載の規格構造システム。
【請求項５】
前記中央部上で前記接続部方向に平行な溝が配置された、前記請求項２に記載の規格構造システム。
【請求項６】
１つかそれ以上のリップの組が前記立方体の形状をした中央部のすべての６面に配置された、前記請求項２に記載の規格構造システム。
【請求項７】
前記開放部に備えられるそれぞれの側面部の前記壁部の少なくとも１つの形状と寸法が、前記立方体の形状をした中央部の前記壁部の形状と寸法に等しい、前記請求項６に記載の規格構造システム。
【請求項８】
前記リップの組が前記中央部の上に回転可能に据え付けられた、前記請求項２に記載の規格構造システム。
【請求項９】
前記リップが備えられ、前記開放部と相互作用する前記接続部の一部の形状が充分に前記開放部の形状と補完的である、前記請求項１に記載の規格構造システム。
【請求項１０】
前記壁部は開放部の位置において回転方向に厚みが少なくとも増加する、前記請求項１乃至９のいずれか１項に記載の規格構造システム。
【請求項１１】
位置決め端が少なくとも前記開放部の周囲の端の少なくとも一部分に配置される、前記請求項１乃至１０のいずれか１項に記載の規格構造システム。
【請求項１２】
材料がＡＢＳ、ＡＳＡまたはＡＢＳとＰＡの化合物のから成るプラスチックから成る素材である、前記請求項１乃至１１のいずれか１項に記載の規格構造システム。
【発明の詳細な説明】
【０００１】
本発明は、規格構造システムに関する、例えば教育目的または玩具としての使用するための、少なくとも２つの側面部で接続部による相互に解除可能な接続からなり、接続部は少なくとも２つの異なった側面部に、１つかそれ以上の放射状に突出したリップとリップの接続方向からみて後ろに受容部があり、どの受容部においても少なくとも一つの、少なくとも放射状に延びる２つの異なる方向からみて、異なる寸法の連続的な正方形の形状をした開放部を具備し、その中のより大きい寸法はリップをとおる放射部の最大値より大きいまたは等しく、より小さい寸法は放射部より小さいものであり、開放部の壁部は、接続部上の受容部の幅より小さいか又は等しい厚さを有し、このような接続は、開放部の中にリップを収容し、次に接続部とそれぞれの側面部の互いに関して連続的に回転することによって接続が引き起こされる。
【０００２】
本規格構造システムは、構成材が特定の相互の方向にただ互いに押し込まれた後に回転することにより接続される発明にもとづく。この玩具で遊ぶことにより、子供の空間認識は幼年期に発達され得る。例えば、接続によりリップの数または型の組み合わせによって開放部の形は複雑になるので、前記玩具は、広い年齢の範囲の子供に適する。付加的に前記回転接続は相対的に高い荷重に耐えられることにより、規格構造システムの構成材への付加仕様において重く大きな形をとることができる。例えば、側面部を相対的に大きい形にすることにより、比較的大きな容積の構造を、前記の側面部をいくつか相互に接続することにより、短時間に得ることが可能である。本システムをとりわけ玩具として用いるとき、これは高い意欲を子供に与える効果を有し得る。注記として、発明者がもつ最大限の知識の範囲においてこのような効果は他の玩具によっては提供されない。このように具体化される側面部と接続部はとりわけ注入成形技術で良く知られる方法で製造される。
【０００３】
第１の好ましい実施例は少なくとも２つの異なる側面部のそれぞれに２つ若しくはそれ以上のリップを具備する。第２の好ましい実施例は４つのリップを具備する。
【０００４】
別の実施例では、接続部は少なくとも２セットのリップによって１つかそれ以上の中央部に固定され、それぞれのリップの組によって結合された受容部はリップと中央部によって拘束される。側面部と接続部の相互の正確な連結のために、中央部の横断形状は充分に側面部の横断形状と同じである。この好ましい実施例の発展は、壁部中に構成するそれぞれの側面部が中央部の少なくとも１つの部分を収容するための溝を具備する。２つの側面部が接続された状況において、該当する接続部は視界から隠される。例えば、道具との相互作用させて、扱いを容易にするために、接続方向に平行して走る溝は中央部に配置され得る。別の好ましい実施例は、中央部は立方体の形で具体化される。１つかそれ以上のリップは立方体の形をした中央部の６面すべてに配置される。このようにして、接続部はさらに複雑な多くの構造の構成を可能にする。別の好ましい実施例は、開放されたそれぞれの側面部の少なくとも１つの壁部の形状と寸法は中央部の立方体の形の壁部の形状と寸法と同じである。この実施例において、立方体の形の接続部を基本単位、基本規格であると定義する。例えばこの基本規格の寸法に対応して側面部の寸法を選ぶことにより、より大きい単位が例えば基本規格と相似に構成され得る。
【０００５】
好ましい実施例で接続部は横断方向に鏡像対称である。これは別の例よりも有利な点として、接続部の製造が容易であることである。加えて鏡像対称の実施例は、付加する構成材が一般に鏡像対称な構造である。
【０００６】
さらに別の実施例は、リップの組は中央部において回動可能に据え付けられる。例えば側面部のもう１つの開放部を通る特定の道具を用いることにより、リップを所望の位置まで回転され得る。
【０００７】
最も単純な型は、開放部が正方形である。さらに複雑な型は、リップが提供され開放部と一緒に相互作用する接続部の部材の型が、充分に開放部の型と補完的である。より良いクランプを達成するために、好ましい実施例中の壁部は開放部位置における回転方向に見られるとおり、厚さにおいて少なくとも部分的に増加する。
【０００８】
位置決め端は、好ましくは開放部の周囲の少なくとも一部に配置される。
【０００９】
以下の好ましい実施例の手段は半径の回転に対して構成材をロックするために備えられる。この手段は好ましくは相互作用カムと凹み部を構成し、カムの個々の凹み部は、接続と個々のカムの凹み部は接続方向から見てリップの後方に配置され、加えてより小さな寸法の位置における開放部に隣接する側面部の内部に配置される。
【００１０】
さらに別の好ましい実施例は、材料がプラスチックで構成し、好ましくはＡＢＳ（アクリロニトリル−ブタジエン−スチレン）、ＡＳＡ（アクリロニトリル−スチレン−アクリルエステル−ゴム）もしくはＡＢＳとＰＡ（ポリアミド）の化合物である。ＡＢＳとＡＳＡは耐引っかき性に優れ、高い剛性をもつ。ＡＢＳはとりわけ光学的に高品質であり、多くの異なった色でこの規格構成システムの付加仕様を提供し、色堅ろう度を保証する。ＡＢＳのＡＳＡに対する利点は、より高価でないことである。ＡＢＳとＰＡの化合物は高い色堅ろう度を有するとともに磨耗し難い性質を持つ。
【００１１】
図１は本発明に基づく規格構造システムの第１の実施例を表す。構造システム１は側面部３に接続可能な接続部２で構成される。前記接続部である、構成材２には中央部４が設けられ、どちらかの側にリップ５が放射状に突出するように配置される。受容部６はどちらかの側のリップ５と中央部４の間に位置される。
【００１２】
前記側面部である、構成材３には連続的な開放部７が提供され、放射状に延びる少なくとも２つの異なった方向からみて異なった寸法をもつ。開放部７はこの実施例では正方形であり、開放部７は２つの異なった放射状に延びる異なった方向に異なった寸法をもつことを意味する。最も大きな寸法は正方形の相互に対向する頂点の間の距離である。最も小さな寸法は正方形の相互に対向する辺の間の距離である。構成材２上のリップ５間の距離の最大値は、開放部７の相互に対向する頂点の間の距離より小さく、開放部７の相互に対向する辺の間の距離より大きい。接続方向Ａからみて、構成材３の壁部８の奥行きは、構成材２の受容部６の寸法より小さいもしくは等しい。
【００１３】
図２は図１に表す第１の実施例の異なる構成材が接続した状況を表す。接続は、図１に表される位置から、構成材２を構成材３の連続的な開放部７に可能な限り挿入することから開始する。さらに接続は矢印Ｂに示される半径方向に構成材２または構成材３を回転させることにより起こる。壁部８の構成材３はここで構成材２の受容部６の中にクランプしながら収容される。
【００１４】
互いに接続された構成材の不要な半径方向の回転を防ぐために、リップ５は接続方向Ａから見て、その後部にカム９を具備する。これらのカム９は凹み部１０と相互作用して、開放部７に隣接する構成材３の内側に配置される。別の方法は、凹みがリップ５に提供され、相対するカムを構成材３上に具備する。好ましくは力の影響下で曲がる幾分柔軟な材料が選択される。有効なロック手段と同じくこの方法で有効なクランプ接続が得られる。別の可能性は接続部のそれぞれのリップが一対の突起（示されない）の間に収容されるように、リップの幅よりも大きいか又は等しい距離を隔てた２つの突起の使用を含む。
【００１５】
図２に表されるように、構成材３は構成材２のどちらかの側に接続され得る。さらに中央部４の横断面と構成材３の横断面は一致するので、構成材２と３の接続状態は同じ型である。
【００１６】
図３は本発明に基づく第２の実施例である規格構造システム１１である。構造システム１１は本発明に基づく構造システム１に極めて類似した構造を有する。同一の構成材は対応する参照数字に１０加算された参照数字を付す。構造システム１と構造システム１１の間のもっとも有意な違いは接続Ａ方向から見て溝２１を受容部６に具備することにある。これらの溝は図４中にある溝と相互作用するように取り付けられたキー２２を用いてＢ方向に半径方向の回転を引き起こす付加機能を備える。言及するにおよばず、溝のかわりに用いられるすべての技術的に同等な手段である器具を点か領域に用い得る。
【００１７】
図４は本発明に基づく第３の実施例の規格構造システム３１である。構造システム３１は構造システム１と１１に大部分において同じである。同一の構成材は、図１の対応する参照数字に３０加算される。前記の実施例と有意に異なるのは中央部３４の円筒面の横断面であり、そこに接続方向Ａに溝２３を具備する。構成材３２の回転は同様に溝２３にキー２２を作用させることにより起こる。
【００１８】
図５は本発明に基づいた第４の実施例である規格構造システム４１を表す。構造システム４１は構造システム１１と３１の組み合わせである。同一の構成材は、図３の対応する参照数字に３０加算される。構造システム４１は、一部が正方形の断面であり、断面が円である２つの部分を有しそのどちらか一方に溝２４を有する中央部４４をもつ。正方形の断面の部分は手動で容易に回転し、一方、断面が円の部分と溝はキー２２を用いて回転され得る。構成材の壁部４８は前記の通り構成材４２の首状の部分４６中にクランプにより配置され、この首状の部分はリップ４５と中央部４４の円筒状の部分により制限される。
【００１９】
図６は本発明に基づく第５の実施例である規格構造システム５１を表す。構造システム５１は構造システム３１に最も似ている。同一の構成材は、一般に図４の対応する参照数字に２０加算される。前記の実施例との最も有意な相違は接続端５８の形状であり、リップ５３と端５６との接合様式と補完的である。
【００２０】
図７は本発明に基づく第６の実施例である規格構造システムを表す。この第６の実施例は図６に表される第５の実施例５１に極めて類似している。第１の相違は接続端の形状に見られ、区別のために５８’で指定した。接続端５８’の厚さは本実施例では時計まわり方向である回転方向に増加する。側面部５３に相対する接続部５２の回転により、クランプ接続の効果が増大する。好ましくは接続端５８’の厚さは、接続の初期段階において接続部５２が側面部５３から外れるのを防止するために最初は最大値である。それに隣接する接続端５８’の厚さは前述されたように減じた最小から回転方向に増加する。第２の相違はリップ５５の後方に配置されるカム５９に見られる。これらのカム５９は接続状況をロックするために凹み部６０と相互作用する。
【００２１】
図８Ａは第７の実施例である規格構造システム６１を表す。構造システム６１は図１と２の構造システム１に極めて類似した構造を有する。同一の構成材は、対応する参照数字に５０加算される。少なくとも中央部６４の一部を収容するために凹み６９を開放部６７の周囲の側面部６３に具備する。中央部６４は２つの側面部６３の接続状態時には視界から隠される。図８Ｂでは接続部により接続された２つの側面部の縦方向の断面を表す。接続を回転可能にするために、接続６５は中央部６４のどちらかの側に回転可能に据え付けられる。穴部７０は器具による（示されない）リップ６５の回転のために用いられる。接続部６２の接続または脱離のためのリップ５６を回転するために、好ましくはもうひとつの側面部６３の開放部６７通して挿入され得るように適切な器具が設計される。
【００２２】
図９は本発明の第８の実施例である規格構造システムを表す。この第８の実施例は図７に表す第６の実施例に極めて類似している。同一の構成材には同じ参照数字を提供する。相違は接続リップと接続端に見られ、これは参照数字にアクセント記号を付加する方法で示した。接続端５８’には接続部５２上のリップ５５’との相互作用のための４つの「耳」を具備する。接続端５８’の形状は一般にリップ５５’上の接続部５２の一部の形状と補完的である。この耳にはそれぞれ接続を容易にするように位置決め端５８”を具備する。リップ５５’はこの目的で球形の形状である。この位置決め端５８”は、リップ５５’の球状の形状がリップの片方または両方の側に配置され得るように、開放部の両端に配置され得る。
【００２３】
図１０は本発明に基づく第９の実施例である規格構造システムを表す。接続ブロック７２のみが表される。この接続ブロックは立方体の形状の中央部７４をもつ。４つのリップ７５の組は６つのすべての側面部に配置される。凹み部７６はリップ７５のそれぞれの組に随伴する。
【００２４】
図１１は本発明に基づく第１０の実施例である規格構造システムを表す。この第１０の実施例は図８Ａと８Ｂに表される第７の実施例に極めて類似している。相違は中央部６４’の円筒形とそれに対応する凹み部６９’の円筒形にある。中央部６４’が接続部において回転され得るように、開放部７０は側面部６３中に備えられる。開いたまたはロックした配置を区別するために、関連した表記が中心部６４’上に適用され得る。
【００２５】
図１２は本発明の適用範囲中に含まれる完全に違った実施例を表す。接続部８２には放射状に内側に突出したリップ８５を具備する。対応する開放部８７を側面部８３上に具備する。前記の実施例に類似して壁部８８の奥行きはリップ８５の後方の凹み部８６の寸法と同じかそれ以下である。接続は互いに相対的に部品を回転させて起こる。リップ８５には弾性は要求されない。
【００２６】
この最後の実施例は本発明に基づく着想を実用に至らしめ、一般に前記の図１から１１の実施例にあてはまる。一部に放射状に内側に突出した「リップ」が提供され得て、開放部９７の周囲の端に沿って配置される。この開放部の一般的な形状は、第１の部分と接続する第２の部分９２にも見られ、凹み部９６に従ったリップ９５を構成し、補完的な形状においては、リップ９５と追随する凹み部９６で構成される。導入された定義に関して、最初の部分は側面部に相当しており、第２の部分は接続部に相当する。この実施例は略図が図１３に表される。補足のための留意点として、本発明に基づく規格構造システムには一方の側にリップ、加えてもう一方の側に開放部を具備する結果「混成」部分を形成し、それは接続部であるのに加えて側面部である。
【００２７】
本発明の実施例としての図面では、どの場合にも４つのリップと１つの正方形または補完的に形成された開放部がどの場合にも示されたが、少なくとも１つのリップと円形でない開放部を伴う側面部による接続部によって充分に実用的であることは、技術者には明白な点であろう。この接続部には２つかそれ以上のリップを具備することが好ましい。
【００２８】
加えて、本発明に基づく構造システムは特に、例えばラックやその類の接続構成品として店などへの据え付けへの応用としても適している。
【００２９】
本発明はもちろん記述され実施例に図示されたものに限定されず、考えられるすべての組み合わせが加えられ、前記のどんな実施例や添付する図面また特許請求の範囲に一致する。
【図面の簡単な説明】
【図１】  本発明に基づく規格構造システムの第１の実施例である。
【図２】  図１に表す第１の実施例の異なる構成品が接続した状況を表す。
【図３】  本発明に基づく規格構造システムの第２の実施例である。
【図４】  本発明に基づく規格構造システムの第３の実施例である。
【図５】  本発明に基づく規格構造システムの第４の実施例である。
【図６】  本発明に基づく規格構造システムの第５の実施例である。
【図７】  本発明に基づく規格構造システムの第６の実施例である。
【図８Ａ】  本発明に基づく規格構造システムの第７の実施例である。
【図８Ｂ】  第７の実施例における特に縦方向の断面を表す。
【図９】  本発明に基づく規格構造システムの第８の実施例である。
【図１０】  本発明に基づく規格構造システムの第９の実施例である。
【図１１】  本発明に基づく規格構造システムの第１０の実施例である。
【図１２】  本発明に基づく規格構造システムの第１１の実施例である。
【図１３】  本発明に基づく規格構造システムの第１２の実施例である。
【図１】
0004392988.tif 000002
【図２】
0004392988.tif 000003
【図３】
0004392988.tif 000004
【図４】
0004392988.tif 000005
【図５】
0004392988.tif 000006
【図６】
0004392988.tif 000007
【図７】
0004392988.tif 000008
【図８Ａ】
0004392988.tif 000009
【図８Ｂ】
0004392988.tif 000010
【図９】
0004392988.tif 000011
【図１０】
0004392988.tif 000012
【図１１】
0004392988.tif 000013
【図１２】
0004392988.tif 000014
【図１３】
0004392988.tif 000015